(57)【要約】【課題】使い勝手に優れる加熱調理器を提供する。【解決手段】複数の加熱手段２，４，６と、加熱手段２，４，６の制御条件を設定する設定手段２２〜２４，４２〜４４，６２〜６６と、２以上の加熱手段の制御情報を同時に表示する制御情報表示及び設定手段で設定する特定の加熱手段の制御条件を表示する領域を拡大して表示する設定情報表示を表示可能な表示手段９０とを備え、第１の加熱手段の制御条件の設定中に第２の加熱手段の制御条件を設定する割り込み操作が行われると、第１の加熱手段の第１の設定情報表示から第２の加熱手段の第２の設定情報表示に切り替え、第２の加熱手段の制御条件の設定が完了すると、第２の加熱手段の第２の設定情報表示から制御情報表示に切り替え、所定の切り替え操作が行われると、制御情報表示から第１の加熱手段の第１の設定情報表示に切り替える。【選択図】図３
2020186861.tif 000002
【特許請求の範囲】
【請求項１】
被調理物を加熱する複数の加熱手段と、
加熱手段の制御条件を設定する設定手段と、
複数の加熱手段のうち、少なくとも２以上の加熱手段の制御情報を同時に表示する制御情報表示、及び設定手段で設定する特定の加熱手段の制御条件を表示する領域を拡大して表示する設定情報表示を表示可能な表示手段と、
制御手段と、を備え、
複数の加熱手段のうち、第１の加熱手段の制御条件の設定中に、第２の加熱手段の制御条件を設定する割り込み操作が可能な加熱調理器であって、
制御手段は、第１の加熱手段の制御条件の設定中に、第２の加熱手段の制御条件を設定する割り込み操作が行われると、第１の加熱手段の第１の設定情報表示から割り込み操作が行われた第２の加熱手段の第２の設定情報表示に切り替え、
第２の加熱手段の制御条件の設定が完了すると、第２の加熱手段の第２の設定情報表示から制御情報表示に切り替え、
所定の切り替え操作が行われると、制御情報表示から割り込み操作がなされたときの第１の加熱手段の第１の設定情報表示に切り替える加熱調理器。
【請求項２】
請求項１に記載の加熱調理器において、
表示手段は、設定手段で設定する特定の加熱手段のみの制御条件が表示されるように、特定の加熱手段の制御条件を表示する領域を拡大して表示する設定情報表示を表示可能な加熱調理器。
【請求項３】
請求項１または２に記載の加熱調理器において、
表示手段は、設定手段で設定する特定の加熱手段の制御条件を複数の設定階層で表示する設定情報表示を表示可能であり、
制御手段は、所定の切り替え操作が行われると、制御情報表示から割り込み操作がなされたときの設定階層における第１の加熱手段の第１の設定情報表示に切り替える加熱調理器。
【請求項４】
請求項１〜３のいずれか１項に記載の加熱調理器において、
制御手段は、第２の加熱手段の制御条件の設定が完了すると、第２の加熱手段の第２の設定情報表示から所定の切り替え操作をガイドするガイド表示を含む制御情報表示に切り替える加熱調理器。
【請求項５】
請求項１〜４のいずれか１項に記載の加熱調理器において、
制御手段は、割り込み操作がなされた後または所定の切り替え操作がなされた後、所定の待機時間が経過しても、割り込み操作がなされた第１の加熱手段の制御条件の設定が完了しない場合、第１の加熱手段の制御条件の設定を取り消す加熱調理器。
【発明の詳細な説明】
【技術分野】
【０００１】
本発明は、複数の加熱手段を有する加熱調理器に関する。特に、本発明は、複数の加熱手段の制御情報を表示する制御情報表示と、各加熱手段の制御条件を設定するときの設定情報表示とが表示される表示手段を備えた加熱調理器に関する。
【背景技術】
【０００２】
従来、複数の加熱手段と、各加熱手段の自動調理における調理モードや、調理温度、調理時間等の制御条件を設定する設定手段と、設定手段で設定する制御条件を表示する設定情報表示及び各加熱手段に設定されている調理モードや、調理容器の温度、調理の残時間等の制御情報を表示する制御情報表示を表示可能な液晶表示部等の表示手段とを備えた加熱調理器が知られている（例えば、特許文献１）。
【先行技術文献】
【特許文献】
【０００３】
【特許文献１】特開２０１７−１１６１１６号公報
【発明の概要】
【発明が解決しようとする課題】
【０００４】
上記のような複数の加熱手段を有する加熱調理器では、同時に複数の加熱手段が運転される可能性があるため、表示画面に複数の加熱手段の制御情報を同時に表示させる制御情報表示が好ましい。それゆえ、特許文献１でも、表示画面を各加熱手段に応じた領域に分割して複数の加熱手段の制御情報を表示させている。一方、自動調理では制御条件が多岐に渡る場合があるため、表示画面を複数の領域に分割したまま制御条件を表示させると、一度に表示可能な情報が少なくなり、使用者の使い勝手に劣る。そのため、制御情報表示では、表示画面を複数の領域に分割して複数の加熱手段の制御情報を同時に表示させ、設定情報表示では、表示画面に特定の加熱手段の制御条件を表示する領域を拡大して表示させることが考えられる。
【０００５】
ところで、複数の加熱手段を有する加熱調理器では、１つの加熱手段の制御条件の設定が完了する前に、他の加熱手段の制御条件の設定を開始する割り込み操作を行いたい場合がある。例えば、調理の準備が完了する前に自動調理の設定を行うと、実際に調理が開始されるまで待機状態となるから、１つの加熱手段の調理を開始するまでの間に他の加熱手段の制御条件を設定できれば、円滑に複数の調理を進行させることができる。このような割り込み操作が可能な加熱調理器では、後に操作された他の加熱手段の制御条件の設定が完了したときに、設定が未完了の先に操作された１つの加熱手段の設定情報表示に戻る方が使用者の使い勝手がよい。
【０００６】
しかしながら、上記のような特定の加熱手段の制御条件を表示する領域を拡大して表示する加熱調理器で割り込み操作が行わると、他の加熱手段の制御条件の設定が完了したとき、先に操作された１つの加熱手段の設定情報表示に戻ってしまう。そのため、使用者は後で操作された他の加熱手段の制御条件の設定が継続しているのか、先に操作された１つの加熱手段の制御条件の設定に切り替わったのか、判断に戸惑ってしまうという問題がある。特に、複数の加熱手段で同一の制御条件が設定されている場合、表示画面に同一の設定情報表示が表示されてしまう場合があるため、いずれの加熱手段の設定情報表示であるのか判断が難しい。割り込み操作が行われると、先に操作された１つの加熱手段の制御条件の設定を取り消して、初期の設定情報表示に戻ることも考えられるが、制御条件が多岐に渡る場合、一から制御条件の設定を再開させなければならず、使用者の使い勝手に劣る。
【０００７】
本発明は上記課題を鑑みてなされたものであり、本発明の目的は、複数の加熱手段の制御情報を表示する制御情報表示及び設定手段で設定する特定の加熱手段の制御条件を表示する設定情報表示を表示可能な表示手段を備えた加熱調理器において、使用者の使い勝手を向上させることにある。
【課題を解決するための手段】
【０００８】
本発明によれば、
被調理物を加熱する複数の加熱手段と、
加熱手段の制御条件を設定する設定手段と、
複数の加熱手段のうち、少なくとも２以上の加熱手段の制御情報を同時に表示する制御情報表示、及び設定手段で設定する特定の加熱手段の制御条件を表示する領域を拡大して表示する設定情報表示を表示可能な表示手段と、
制御手段と、を備え、
複数の加熱手段のうち、第１の加熱手段の制御条件の設定中に、第２の加熱手段の制御条件を設定する割り込み操作が可能な加熱調理器であって、
制御手段は、第１の加熱手段の制御条件の設定中に、第２の加熱手段の制御条件を設定する割り込み操作が行われると、第１の加熱手段の第１の設定情報表示から割り込み操作が行われた第２の加熱手段の第２の設定情報表示に切り替え、
第２の加熱手段の制御条件の設定が完了すると、第２の加熱手段の第２の設定情報表示から制御情報表示に切り替え、
所定の切り替え操作が行われると、制御情報表示から割り込み操作がなされたときの第１の加熱手段の第１の設定情報表示に切り替える加熱調理器が提供される。
【０００９】
上記加熱調理器によれば、第１の加熱手段の制御条件の設定中に、第２の加熱手段の制御条件を設定する割り込み操作が行われると、第１の加熱手段の第１の設定情報表示から割り込み操作が行われた第２の加熱手段の第２の設定情報表示に切り替えられるから、先に操作された第１の加熱手段の制御条件の設定の完了を待つことなく、使用者は表示手段を確認しながら、後から操作した第２の加熱手段の制御条件を設定することができる。
【００１０】
また、上記加熱調理器によれば、第２の加熱手段の制御条件の設定が完了すると、第２の加熱手段の第２の設定情報表示から少なくとも２以上の加熱手段の制御情報を同時に表示する制御情報表示に切り替えられるから、使用者は意図した第２の加熱手段の制御条件の設定が完了したことを確実に認識することができる。従って、第２の加熱手段の制御条件の設定が継続しているのかどうかの判断の迷いは生じない。
【００１１】
そして、上記加熱調理器によれば、所定の切り替え操作が行われると、制御情報表示から割り込み操作がなされたときの第１の加熱手段の第１の設定情報表示に切り替えられるから、使用者が第１の加熱手段の制御条件の設定の継続を希望する場合、円滑に第１の加熱手段の制御条件の設定を再開させることができる。
【００１２】
好ましくは、上記加熱調理器は、
設定手段で設定する特定の加熱手段のみの制御条件が表示されるように、特定の加熱手段の制御条件を表示する領域を拡大して表示する設定情報表示を表示可能な表示手段を有する。
【００１３】
上記加熱調理器によれば、設定情報表示では、設定手段で設定する特定の加熱手段のみの制御条件が表示されるように、特定の加熱手段の制御条件を表示する領域を拡大して表示させるから、表示手段の表示画面が小さい場合でも、一度に多くの情報を表示させることができる。
【００１４】
好ましくは、上記加熱調理器において、
表示手段は、設定手段で設定する特定の加熱手段の制御条件を複数の設定階層で表示する設定情報表示を表示可能であり、
制御手段は、所定の切り替え操作が行われると、制御情報表示から割り込み操作がなされたときの設定階層における第１の加熱手段の第１の設定情報表示に切り替える。
【００１５】
上記加熱調理器によれば、所定の切り替え操作が行われると、制御情報表示から割り込み操作がなされたときの設定階層における第１の加熱手段の第１の設定情報表示に切り替えられるから、制御条件が複数の設定階層で構成されている場合でも、割り込み操作が行われて中断された設定階層から第１の加熱手段の制御条件の設定を再開させることができる。
【００１６】
好ましくは、上記加熱調理器において、
制御手段は、第２の加熱手段の制御条件の設定が完了すると、第２の加熱手段の第２の設定情報表示から所定の切り替え操作をガイドするガイド表示を含む制御情報表示に切り替える。
【００１７】
上記加熱調理器によれば、第２の加熱手段の制御条件の設定が完了すると、第２の加熱手段の第２の設定情報表示から所定の切り替え操作をガイドするガイド表示を含む制御情報表示に切り替えられるから、使用者が先に操作された第１の加熱手段の制御条件の設定の再開を希望する場合、ガイド表示に従って切り替え操作を行うことにより円滑に第１の加熱手段の制御条件の設定を再開させることができる。
【００１８】
好ましくは、上記加熱調理器において、
制御手段は、割り込み操作がなされた後または所定の切り替え操作がなされた後、所定の待機時間が経過しても、割り込み操作がなされた第１の加熱手段の制御条件の設定が完了しない場合、第１の加熱手段の制御条件の設定を取り消す。
【００１９】
上記加熱調理器によれば、割り込み操作がなされた後または所定の切り替え操作がなされた後、所定の待機時間が経過しても、割り込み操作がなされた第１の加熱手段の制御条件の設定が完了しない場合、第１の加熱手段の制御条件の設定が取り消されるから、次回の第１の加熱手段の制御条件の設定において、取り消し操作の手間を省くことができる。また、誤って第１の加熱手段の制御条件の設定が開始された場合でも、設定の取り消し操作を行う必要がない。
【発明の効果】
【００２０】
以上のように、本発明によれば、複数の加熱手段の制御情報を表示する制御情報表示及び設定手段で設定する特定の加熱手段の制御条件を表示する設定情報表示を表示可能な表示手段を備えた加熱調理器において、使用者の使い勝手を向上させることができる。
【図面の簡単な説明】
【００２１】
【図１】図１は、本発明の実施の形態に係る加熱調理器を示す概略構成図である。
【図２】図２は、本発明の実施の形態に係る加熱調理器の制御部と操作表示ユニットとを示す説明図である。
【図３】図３は、本発明の実施の形態に係る加熱調理器の表示制御動作を示す説明図である。
【発明を実施するための形態】
【００２２】
以下、本発明の実施の形態に係る加熱調理器について、添付図面を参照しながら具体的に説明する。
図１は、ビルトイン式のガスコンロに適用した本実施の形態の加熱調理器を示す概略構成図である。図１に示すように、コンロ本体１の天板９上には加熱手段である環状の３つのコンロバーナ、すなわち、左コンロバーナ２、右コンロバーナ４、及び後コンロバーナ６が配設されている（以下、これらを総称する場合、単に、「コンロバーナ」といい、各コンロバーナを意味する場合、「左コンロバーナ」等という）。また、コンロ本体１の正面中央にはグリル庫８の開閉扉８０が配設されている。なお、本明細書では、グリル庫８の開閉扉８０が設けられている面を前面とし、コンロ本体１の奥行き方向を前後方向、コンロ本体１の幅方向を左右方向、コンロ本体１の高さ方向を上下方向という。
【００２３】
グリル庫８の開閉扉８０の右側に位置するコンロ操作部７０には、電源スイッチ７１と、コンロバーナ２，４，６の点・消火と火力調整機能を兼備した操作摘み２０，４０，６０とが配設されている。グリル庫８の開閉扉８０の左側に位置するグリル操作部８１には、グリルバーナ（図示せず）の点・消火と火力調整機能を兼備した操作摘み８２が配設されている。操作摘み２０，４０，６０，８２はそれぞれ、押し込み操作の繰り返しによってコンロ操作部７０及びグリル操作部８１から突出した使用状態と、コンロ操作部７０及びグリル操作部８１と面一になった不使用状態との２状態に変化するように構成されている。
【００２４】
コンロ操作部７０の下方には、コンロバーナ２，４，６で各種の調理を行うためのコンロ用の操作表示ユニット７２が格納されている。操作表示ユニット７２は、使用者がコンロ操作部７０の下方の前面パネルを押し操作することにより、手前に傾斜して使用者が操作可能に構成されている。また、使用者が前面パネルを閉じると、操作表示ユニット７２がコンロ本体１内に格納される。なお、図示しないが、グリル操作部８１の下方には、コンロ用の操作表示ユニット７２と同様に、グリル用の操作表示ユニットが格納されている。
【００２５】
図２に示すように、コンロ用の操作表示ユニット７２は、コンロバーナ２，４，６の制御情報や制御条件を表示する表示部（表示手段）９０と、左コンロバーナ２に対する自動調理の制御条件の設定操作を行う後述する各種スイッチ２２，２３，２４が配設された左コンロ用操作領域２１と、右コンロバーナ４に対する自動調理の制御条件の設定操作を行う後述する各種スイッチ４２，４３，４４が配設された右コンロ用操作領域４１と、後コンロバーナ６に対する自動調理の制御条件の設定操作を行う後述する各種スイッチ６２，６３が配設された後コンロ用操作領域６１とを備えている。また、表示部９０の一側方には、「アップダウン」スイッチ６４と、「ＯＫ」スイッチ６５と、「戻る」スイッチ６６とが配設されている。「アップダウン」スイッチ６４は、調理時間や調理温度、後述する自動調理の制御条件を選択するために操作される。「ＯＫ」スイッチ６５は、選択した制御条件を決定するために操作される。「戻る」スイッチ６６は、自動調理の設定中、設定中の制御条件の１つ前の制御条件に戻るために操作される。従って、本実施の形態では、上記した操作表示ユニット７２に設けられている各種スイッチ２２〜２４，４２〜４４，６２〜６６がコンロバーナ２，４，６の制御条件を設定する設定手段として機能する。
【００２６】
左右コンロ用操作領域２１，４１にはそれぞれ、左右コンロバーナ２，４による自動調理の制御条件を設定するための「オート」スイッチ２２，４２、「温度」スイッチ２３，４３、「タイマ」スイッチ２４，４４が設けられている。また、後コンロ用操作領域６１には、後コンロバーナ６による自動調理の制御条件を設定するための「炊飯」スイッチ６２、及び「タイマ」スイッチ６３が設けられている。
【００２７】
「オート」スイッチ２２，４２を使用者が押し操作することにより、左右コンロバーナ２，４に設定する自動調理の調理モードとして、「湯わかしモード」、「煮物モード」、「麺茹でモード」、「無水調理モード」、「焼き餃子モード」、「ハンバーグモード」、「茶碗蒸しモード」、及び「アプリレシピモード」が選択可能となる（図３（ｂ）（ｇ））。また、調理モードが表示されている状態で、「アップダウン」スイッチ６４を押し操作することにより、調理モードの選択が変更される。そして、所定の調理モードが選択されている状態で、「ＯＫ」スイッチ６５を押し操作することにより、自動調理の１つの制御条件が設定される。
【００２８】
また、本実施の形態の自動調理のうち、所定の調理モードは複数の設定階層を有し、調理モードで「焼き餃子モード」や「ハンバーグモード」が選択された場合、さらに「焼き加減」の制御条件が選択可能となり（図３（ｃ））、自動調理で「湯わかしモード」が選択された場合、さらに、「沸とう後の保温時間」が選択可能となる（図３（ｈ））。これらを設定する場合、所定の調理モードが設定されている状態で、上記と同様に、「アップダウン」スイッチ６４を押し操作し、「ＯＫ」スイッチ６５を押し操作することにより、自動調理の他の１つの制御条件が設定される。
【００２９】
また、「炊飯」スイッチ６２を使用者が押し操作することにより、後コンロバーナ６に設定する自動調理の調理モードとして、「炊飯モード」が選択可能になる。
【００３０】
なお、「温度」スイッチ２３，４３を押し操作することにより、左右コンロバーナ２，４によって加熱する被調理物の温度が設定可能となる。温度設定は、「アップダウン」スイッチ６４の操作によって変更される。このとき、使用者が設定した温度に基づいて左右コンロバーナ２，４の運転が行われるため、本実施の形態においては、自動調理として扱う。
【００３１】
また、「タイマ」スイッチ２４，４４，６３を押し操作することにより、コンロバーナ２，４，６に対するタイマ時間（加熱調理の実行時間）が設定可能となる。時間設定は、「アップダウン」スイッチ６４の操作によって変更される。このとき、使用者が設定した時間に基づいてコンロバーナ２，４，６の運転が行われるため、本実施の形態においては、自動調理として扱う。
【００３２】
表示部９０には、ドットマトリクス方式の液晶ディスプレイ（ＬＣＤ）による表示画面が設けられている。なお、本実施の形態では液晶の表示部９０を採用しているが、有機エレクトロルミネッセンス（有機ＥＬ）等からなる表示部を用いてもよい。
【００３３】
表示部９０は、表示画面にコンロバーナ２，４，６の制御情報を各コンロバーナ２，４，６に対応した領域９２，９４，９６で同時に表示する制御情報表示（例えば、図３（ａ）（ｅ）等）と、各コンロバーナ２，４，６で自動調理を設定するとき、表示画面に特定のコンロバーナのみの制御条件が表示されるよう表示する設定情報表示（例えば、図３（ｂ）（ｇ）等）とが切り替えられて表示可能に構成されている。具体的には、制御情報表示では、表示画面が三分割され、各コンロバーナ２，４，６に対応した領域９２，９４，９６に、運転状態、自動調理で設定された調理モードや、運転中の調理容器の温度、調理の残時間等が表示される。各領域９２，９４，９６には「左コンロ」、「右コンロ」、「後コンロ」といった各コンロバーナ２，４，６の名称を示すタグが表示されている。これにより、使用者は、各領域９２，９４，９６がいずれのコンロバーナの情報であるかを把握することができる。また、後述するように、設定情報表示では、特定のコンロバーナを表示する領域を拡大して、自動調理の制御条件が表示される。また、自動調理の制御条件が複数の設定階層で設定される場合、いずれの設定階層でも領域を拡大して制御条件が表示される。
【００３４】
上記構成の操作表示ユニット７２は、ガスコンロが備えるコントローラ（制御手段）１００により制御される。コントローラは、ＣＰＵ、ＲＯＭ、ＲＡＭ、インターフェース回路等からなる電子回路であり、その機能構成として、ガスコンロの各コンロバーナ２，４，６の自動調理を制御する自動調理制御部１０１と、操作表示ユニット７２での設定操作に応じて各コンロバーナ２，４，６の自動調理の制御条件の設定を行う設定制御部１０２と、表示部９０を制御する表示制御部１０３とを備える。
【００３５】
次に、本実施の形態にガスコンロにおける表示部９０の表示制御動作を図３を参照して説明する。以下では、左コンロバーナ２を第１の加熱手段、右コンロバーナ４を第２の加熱手段とし、左コンロバーナ２の自動調理の制御条件の設定中に、右コンロバーナ４の自動調理の制御条件の設定が割り込み操作されたときの動作を説明するが、第１及び第２の加熱手段として他のコンロバーナが使用されるときでも表示制御動作は略同様である。
【００３６】
使用者が電源スイッチ７１をオン操作してガスコンロの電源をオンさせると、表示部９０には、各コンロバーナ２，４，６が非運転状態であることを示す暗転した３つのコンロバーナ２，４，６を表示する領域９２，９４，９６が表示される（図３（ａ））。
【００３７】
使用者が、左コンロ用操作領域２１における「オート」スイッチ２２を押し操作すると、左コンロバーナ２の制御条件を表示する領域が拡大して表示され、表示部９０は、自動調理の調理モードとして、「湯わかしモード」、「煮物モード」、「麺茹でモード」、「無水調理モード」、「焼き餃子モード」、「ハンバーグモード」、「茶碗蒸しモード」、及び「アプリレシピモード」の制御条件を示す設定情報表示（第１設定階層における第１の設定情報表示）に切り替わる（図３（ｂ））。これにより、小さな表示部９０でも一度に多数の情報を表示させることができるから、視認性を向上させることができる。
【００３８】
次いで、使用者が「アップダウン」スイッチ６４を押し操作すると、調理モードの選択が変更されて、選択されている自動調理（例えば、「焼き餃子モード」）がハイライト表示（例えば、黒背景と白抜き文字の文字情報）され、使用者が「ＯＫ」スイッチ６５を押し操作すると、１つの制御条件として選択されている調理モードが設定され、さらに他の制御条件（例えば、「焼き加減」）を設定する設定情報表示（第２設定階層における第１の設定情報表示）に切り替わる（図３（ｃ））。
【００３９】
このとき、左コンロバーナ２の自動調理の全ての制御条件の設定が完了する前に、使用者が右コンロ用操作領域４１における「オート」スイッチ４２を押し操作する割り込み操作が行われると、右コンロバーナ４の制御条件を表示する領域が拡大して表示され、表示部９０は、上記と同様の右コンロバーナ４で自動調理の調理モードを設定するため設定情報表示（第１設定階層における第２の設定情報表示）に切り替わる（図３（ｇ））。次いで、上記と同様に使用者が「アップダウン」スイッチ６４を押し操作すると、調理モードの選択が変更されて、選択されている調理モード（例えば、「湯わかしモード」）がハイライト表示され、使用者が「ＯＫ」スイッチ６５を押し操作すると、１つの制御条件として選択されている調理モードが設定され、さらに他の制御条件（例えば、「沸とう後の保温時間」）を設定する設定情報表示（第２設定階層における第２の設定情報表示）に切り替わる（図３（ｈ））。そして、使用者が「アップダウン」スイッチ６４を押し操作して、他の制御条件を選択し、さらに、「ＯＫ」スイッチ６５を押し操作すると、他の制御条件（例えば、「５分間」）が設定されて、待機状態における設定情報表示に切り替わる（図３（ｉ））。
【００４０】
使用者が、右コンロバーナ４の操作摘み４０を押し操作して、点火処理が行われると、右コンロバーナ４の自動調理の制御条件の設定が完了し、調理が開始され、表示部９０は右コンロバーナ４の設定情報表示から各コンロバーナ２，４，６の制御情報を同時に示す制御情報表示に切り替わる（図３（ｊ））。このとき、右コンロバーナ４を表示する領域９４には、運転中の右コンロバーナ４の制御情報（例えば、「湯わかし中」の文字情報、並びに設定された「湯わかしモード」及び「５分」の文字情報）が表示される。また、左コンロバーナ２を表示する領域９２には、割り込み操作によって左コンロバーナ２の自動調理の制御条件の設定が未完了であることを示すガイド表示（例えば、「設定中」であること示す文字情報と「オート」スイッチ２２で設定に戻ることを示す画像情報）９７を含む制御情報が表示される。
【００４１】
使用者が、ガイド表示９７に従って「オート」スイッチ２２を押し操作すると、割り込み操作が行われたときの既述した他の制御条件を設定する設定情報表示（第２設定階層における第１の設定情報表示）に切り替わる（図３（ｃ））。そして、使用者が「アップダウン」スイッチ６４を押し操作して、他の制御条件（例えば、「標準」）を選択し、さらに、「ＯＫ」スイッチ６５を押し操作すると、他の制御条件（例えば、「標準」）が設定されて、待機状態における設定情報表示に切り替わる（図３（ｄ））。
【００４２】
使用者が、左コンロバーナ２の操作摘み２０を押し操作して、点火処理が行われると、左コンロバーナ２の自動調理の制御条件の設定が完了し、調理が開始され、表示部９０は左コンロバーナ２の設定情報表示から各コンロバーナ２，４，６の制御情報を同時に示す制御情報表示に切り替わる（図３（ｅ））。このとき、右コンロバーナ４の自動調理が終了していなければ、右コンロバーナ４を表示する領域９４には、既述した運転中の右コンロバーナ４の制御情報が表示される。また、左コンロバーナ２を表示する領域９２には、運転中の左コンロバーナ２の制御情報（例えば、「調理中」の文字情報、並びに設定された「焼き餃子モード」及び「焼き加減」−「標準」に対応する調理の残時間である「１２分」の文字情報）が表示される。
【００４３】
左コンロバーナ２の自動調理が終了する前に、右コンロバーナ４の自動調理が終了すると、右コンロバーナ４が非運転状態であることを示す暗転した領域９４が表示される（図３（ｆ））。なお、図示しないが、右コンロバーナ４の割り込み操作なされた後、所定の待機時間（例えば、１０分間）が経過しても左コンロバーナ２の自動調理の制御条件の設定が完了しない場合、割り込み操作がなされるまでの制御条件の設定が取り消される。また、左コンロバーナ２の運転中に、「オート」スイッチ４２を押し操作して右コンロバーナ４の自動調理の制御条件の設定が開始された後、所定の設定時間（例えば、３０秒間）が経過しても、右コンロバーナ４の自動調理の制御条件も設定されなければ、制御情報表示に戻る。
【００４４】
以上詳細に説明したように、上記実施の形態のガスコンロによれば、第１のコンロバーナの制御条件の設定中に、第２のコンロバーナの制御条件を設定する割り込み操作が行われると、第１のコンロバーナの第１の設定情報表示から割り込み操作が行われた第２のコンロバーナの第２の設定情報表示に切り替えられるから、先に操作された第１のコンロバーナの制御条件の設定の完了を待つことなく、使用者は表示部９０を確認しながら、後から操作した第２のコンロバーナの制御条件を設定することができる。そして、各コンロバーナ２，４，６の設定情報表示では、表示部９０に設定する特定のコンロバーナのみの制御条件が表示されるように、特定のコンロバーナの制御条件を表示する領域を拡大して表示させるから、表示部９０の表示画面が小さい場合でも、一度に多くの情報を表示させることができる。
【００４５】
また、上記実施の形態では、左右コンロバーナ２，４の自動調理で同一の制御条件が設定されているから、割り込み操作が行われたときの設定階層が同一である場合、タグ表示を除いて同一の設定情報表示が表示されるため、使用者の判断に迷いが生じやすい（図３（ｂ）（ｇ））。しかしながら、上記実施の形態のガスコンロによれば、第２のコンロバーナの制御条件の設定が完了すると、第２のコンロバーナの第２の設定情報表示から全てのコンロバーナの制御情報を同時に表示する制御情報表示に切り替えられるから、使用者は意図した第２のコンロバーナの制御条件の設定が完了したことを確実に認識することができる。従って、第２のコンロバーナの制御条件の設定が継続しているのかどうかの判断の迷いは生じない。
【００４６】
また、上記実施の形態のガスコンロによれば、第２のコンロバーナの制御条件の設定が完了すると、第１のコンロバーナの設定情報表示への切り替え操作をガイドするガイド表示９７を含む制御情報表示に切り替えられるから、使用者が先に操作された第１のコンロバーナの制御条件の設定の再開を希望する場合、ガイド表示９７に従って切り替え操作を迷うことなく行うことができ、円滑に第１のコンロバーナの制御条件の設定を再開させることができる。
【００４７】
また、上記実施の形態のガスコンロによれば、切り替え操作が行われると、制御情報表示から割り込み操作がなされたときの第１のコンロバーナの制御条件の再設定が可能な第１の設定情報表示に切り替えられるから、使用者が第１のコンロバーナの制御条件の設定の継続を希望する場合、円滑に第１のコンロバーナの制御条件の設定を再開させることができる。しかも、上記実施の形態によれば、各コンロバーナの制御条件は複数の設定階層から構成されているが、切り替え操作が行われると、制御情報表示から割り込み操作がなされたときの設定階層における第１のコンロバーナの第１の設定情報表示に切り替えられるから、複数の設定階層で制御条件を設定する必要がある場合でも、割り込み操作が行われて中断された設定階層から第１のコンロバーナの制御条件の設定を再開させることができる。これにより、制御条件の設定が多岐に渡る場合でも、初期の設定階層から制御条件を設定する必要がない。
【００４８】
また、上記実施の形態によれば、割り込み操作がなされた後、所定の待機時間が経過しても、割り込み操作がなされた第１のコンロバーナの制御条件の設定が完了しない場合、第１のコンロバーナの制御条件の設定が取り消されるから、次回の第１のコンロバーナの制御条件の設定において、取り消し操作の手間を省くことができる。また、誤って第１のコンロバーナの制御条件の設定が開始された場合でも、設定の取り消し操作を行う必要がない。なお、所定の待機時間は、切り替え操作がなされたときからカウントしてもよい。
【００４９】
従って、本実施の形態によれば、使用者の使い勝手に優れる加熱調理器を提供することができる。
【００５０】
（その他の実施の形態）
（１）上記実施の形態では、第２の加熱手段の設定情報表示から制御情報表示に切り替わったときのガイド表示として、「オート」スイッチで第１の加熱手段の制御条件の設定に戻ることを示す画像情報が表示されているが、さらに「未点火」等の他の情報を表示させてもよい。
（２）上記実施の形態では、表示部全体に特定の加熱手段のみの制御条件を表示する設定情報表示が表示されているが、特定の加熱手段の制御条件を表示する領域が拡大して表示されれば、表示部に他の加熱手段を表示する領域を縮小して表示させてもよい。
（３）上記実施の形態では、表示部にコンロバーナのみの制御情報等が表示されているが、グリルバーナの制御情報等も表示させてもよい。
【符号の説明】
【００５１】
２，４，６        コンロバーナ
２２，４２        「オート」スイッチ
２３，４３        「温度」スイッチ
２４，４４，６３  「タイマ」スイッチ
６４              「アップダウン」スイッチ
６５              「ＯＫ」スイッチ
９０              表示部
１００            コントローラ
【図１】
2020186861.tif 000003
【図２】
2020186861.tif 000004
【図３】
2020186861.tif 000005